(57)【要約】【課題】横並びに配置された２画面を１画面として扱うフラット構成をとることができる電子機器を提供すること。【解決手段】第１の表示部を有する第１筐体と、第１筐体に対してヒンジを介して回動可能に接続され、第２の表示部を有する第２筐体と、第１の表示部に表示するための第１の映像信号、及び第２の表示部に表示するための第２の映像信号を生成する処理部と、第１筐体及び第２筐体の状態を含む制御信号を出力可能な制御部と、制御部から受信する制御信号に応じて、第１の映像信号が表す映像を右に９０度回転させ、第２の映像信号が表す映像を左に９０度回転させる映像回転部と、右に９０度回転させた映像を表示する第１の表示部と、左に９０度回転させた映像を表示する第２の表示部とを備える、電子機器。【選択図】図１
2022001894.tif 000002
【特許請求の範囲】
【請求項１】
第１の表示部を有する第１筐体と、
前記第１筐体に対してヒンジを介して回動可能に接続され、第２の表示部を有する第２筐体と、
前記第１の表示部に表示するための第１の映像信号、及び前記第２の表示部に表示するための第２の映像信号を生成する処理部と、
前記第１筐体及び前記第２筐体の状態を含む制御信号を出力可能な制御部と、
前記制御部から受信する前記制御信号に応じて、前記第１の映像信号が表す映像及び前記第２の映像信号が表す映像を回転して前記第１及び第２の表示部に表示可能な映像回転部と、を備え、
前記制御部から前記第１筐体及び前記第２筐体が所定の状態であることを含む前記制御信号を受信した場合、前記映像回転部は、前記第１の映像信号が表す映像を左に９０度回転させた映像を前記第１の表示部に表示させ、かつ前記第２の映像信号が表す映像を右に９０度回転させた映像を前記第２の表示部に表示させる、電子機器。
【請求項２】
前記第１の表示部および前記第２の表示部の水平走査の方向が、表示される映像の垂直方向になる、
請求項１に記載の電子機器。
【請求項３】
前記所定の状態は、前記第１の表示部の水平走査の向きと、前記第２の表示部の水平走査の向きとが、逆向きになるように、前記第１筐体と前記第２筐体とが配置されている状態である、
請求項１または請求項２に記載の電子機器。
【請求項４】
前記処理部は、前記所定の状態においては、前記第１の映像信号として、ひとつの映像の左半分の映像を表す映像信号を出力し、前記第２の映像信号として、前記ひとつの映像の右半分の映像を表す映像信号を出力する、
請求項１から請求項３のいずれかの項に記載の電子機器。
【請求項５】
前記映像回転部は、前記第１の映像信号および前記第２の映像信号の供給元に対し、前記第１の表示部の解像度を示す情報として、前記第１の表示部の解像度の水平方向と垂直方向を入れ替えた解像度を提供し、前記第２の表示部の解像度を示す情報として、前記第２の表示部の解像度の水平方向と垂直方向を入れ替えた解像度を提供する、
請求項１から請求項４のいずれかの項に記載の電子機器。
【請求項６】
前記制御部は、前記映像回転部に対し、前記第１の映像信号が表す映像、および、前記第２の映像信号が表す映像の回転を実施するか否かを指示する、請求項１から請求項５のいずれかの項に記載の電子機器。
【発明の詳細な説明】
【技術分野】
【０００１】
本発明は、電子機器に関する。
【背景技術】
【０００２】
ノートＰＣ等の情報処理装置であって、２画面を有するものがある。２画面を有する情報処理装置では、第１の画面が配置された第１の筐体と、第２の画面が配置された第２の筐体とを回転可能に連結した構成となっており、第１の筐体に対して、第２の筐体を実質的に３６０度回転可能になっている。２画面を有する情報処理装置では、第１の画面と第２の画面が外側を向いて対向するテント構成、及びブック構成等の各種構成を取ることができる（特許文献１参照）。
【先行技術文献】
【特許文献】
【０００３】
【特許文献１】特許第５９６６０５９号公報
【発明の概要】
【発明が解決しようとする課題】
【０００４】
しかしながら、従来の２画面を有する情報処理装置などの電子機器においては、横並びに配置された２画面を１画面として扱うフラット構成をとることができないことがあるという問題がある。
【０００５】
本発明は、このような事情に鑑みてなされたもので、横並びに配置された２画面を１画面として扱うフラット構成をとることができる電子機器を提供する。
【課題を解決するための手段】
【０００６】
この発明は上述した課題を解決するためになされたもので、本発明の一態様は、第１の表示部を有する第１筐体と、前記第１筐体に対してヒンジを介して回動可能に接続され、第２の表示部を有する第２筐体と、前記第１の表示部に表示するための第１の映像信号、及び前記第２の表示部に表示するための第２の映像信号を生成する処理部と、前記第１筐体及び前記第２筐体の状態を含む制御信号を出力可能な制御部と、前記制御部から受信する前記制御信号に応じて、前記第１の映像信号が表す映像を及び前記第２の映像信号が表す映像を回転して前記第１及び第２の表示部表示可能な映像回転部と、を備え、前記制御部から前記第１筐体及び前記第２筐体が所定の状態であることを含む前記制御信号を受信した場合、前記映像回転部は、第１の映像信号が表す映像を左に９０度回転させた映像を前記第１の表示部に表示させ、かつ前記第２の映像信号が表す映像を右に９０度回転させた映像を前記第２の表示部に表示させる、電子機器である。
【０００７】
さらに本発明の他の態様は、上述の電子機器であって、第１の表示部および第２の表示部の水平走査の方向が、表示される映像の垂直方向になる。
【０００８】
さらに本発明の他の態様は、上述の電子機器であって、前記所定の状態は、第１の表示部の水平走査の向きと、第２の表示部の水平走査の向きとが、逆向きになるように、第１筐体と第２筐体とが配置されている状態である。
【０００９】
さらに本発明の他の態様は、上述の電子機器であって、処理部は、所定の状態においては、第１の映像信号として、ひとつの映像の左半分の映像を表す映像信号を出力し、第２の映像信号として、前記ひとるの映像の右半分の映像を表す映像信号を出力する。
【００１０】
さらに本発明の他の態様は、上述の電子機器であって、映像回転部は、第１の映像信号および第２の映像信号の供給元に対し、前記第１の表示部の解像度を示す情報として、第１の表示部の解像度の水平方向と垂直方向を入れ替えた解像度を提供し、第２の表示部の解像度を示す情報として、第２の表示部の解像度の水平方向と垂直方向を入れ替えた解像度を提供する。
【００１１】
さらに本発明の他の態様は、上述の電子機器であって、制御部は、映像回転部に対し、第１の映像信号が表す映像、および、第２の映像信号が表す映像の回転を実施するか否かを指示する。
【発明の効果】
【００１２】
この発明によれば、横並びに配置された２画面を１画面として扱うフラット構成をとることができる。
【図面の簡単な説明】
【００１３】
【図１】本実施の形態にかかる電子機器１０の各種状態における外観図である。
【図２】同実施形態における電子機器１０の構成を示す概略ブロック図である。
【図３】同実施形態における制御部１１０の出力信号を説明する表である。
【図４】同実施形態における映像回転部１２０の動作（スルーモード）を説明する模式図である。
【図５】同実施形態における映像回転部１２０の動作（ローテートモード）を説明する模式図である。
【図６】同実施形態における処理部１００と映像回転部１２０との間の信号を説明するタイムチャート（その１）である。
【図７】同実施形態における処理部１００と映像回転部１２０との間の信号を説明するタイムチャート（その２）である。
【発明を実施するための形態】
【００１４】
以下、図面を参照して、本発明の実施の形態について説明する。図１は、この発明の一実施形態による電子機器１０の各種状態における外観図。電子機器１０は、２つの画面（第１の表示部１３１、第２の表示部１３２）を備える、ノート型、タブレット型などのパーソナルコンピュータ、あるいは、スマートフォンである。第１の表示部１３１が配置された第１筐体１０１に対して、ヒンジ１０２を介して第２の表示部１３２が配置された第２筐体１０３を３６０度相対回転可能に、電子機器１０は構成されている。電子機器１０は、テント構成、ブック構成、フラット構成などの状態をとる。図１において、電子機器１０ａは、第１筐体１０１及び第２筐体１０３がテント構成の状態であり、電子機器１０ｂは、第１筐体１０１及び第２筐体１０３がブック構成の状態である、電子機器１０ｃは、第１筐体１０１及び第２筐体１０３がフラット構成の状態である。
【００１５】
第１の表示部１３１と表示部とが向かい合うように、第１筐体に対し第２筐体が完全に閉じられている状態を０度とすると、テント構成の状態は、第１の表示部１３１の表示面と、第２の表示部１３２の表示面とがなす角が１８０度を超え、かつ、横置きの状態である。テント構成の状態にある電子機器１０ａは、第１の表示部１３１と第２の表示部１３２の各々を横長な画面（例えば、水平方向の解像度が３０００ピクセル、垂直方向の解像度が２０００ピクセル）として用い、同様の映像をこれらの画面に表示する。このとき、第１の表示部１３１および第２の表示部１３２の各々の水平走査の方向は、各々に表示される映像の水平方向となっている。これにより、テント構成の状態にある電子機器１０ａは、向かい合う席に付いた人達に同様の映像を提供することができる。なお、テント構成の状態では、第１の表示部１３１にのみ、映像を表示してもよい。
【００１６】
ブック構成の状態は、第１の表示部１３１の表示面と、第２の表示部１３２の表示面とがなす角が、１８０度を超えていない状態、ならびに、１８０度を超え、かつ、縦置きの状態である。ブック構成の状態にある電子機器１０ｂは、第１の表示部１３１と第２の表示部１３２の各々を縦長な画面（例えば、水平方向の解像度が２０００、垂直方向の解像度が３０００）として用い、各々の画面に、独立した映像を表示する。このとき、第１の表示部１３１および第２の表示部１３２の各々の水平走査の方向は、各々に表示される映像の垂直方向となっている。これにより、ブック構成の状態にある電子機器１０ｂは、複数のアプリケーションの映像を同時に表示することができる。
【００１７】
フラット構成の状態は、第１の表示部１３１の表示面と、第２の表示部１３２の表示面とがなす角が１８０度であり、ドック２０に電子機器１０ｃが接続された状態である。ドック２０は、電子機器１０ｃに電力を供給したり、周辺機器の接続ポートを提供したりする機器である。フラット構成の状態にある電子機器１０ｃは、横並びとなっている第１の表示部１３１の画面と第２の表示部１３２の画面とを、これらが連結された横長の１画面（例えば、水平方向の解像度が４０００、垂直方向の解像度が３０００）として用いる。このとき、第１の表示部１３１および第２の表示部１３２の各々の水平走査の方向は、各々に表示される映像の垂直方向となっている。これにより、フラット構成の状態にある電子機器１０ｃは、テント構成に比べて、広い表示領域を１画面として提供することができる。
【００１８】
図２は、本実施形態による電子機器１０の構成を示す概略ブロック図である。電子機器１０は、処理部１００、制御部１１０、映像回転部１２０、表示部１３０を備える。映像回転部１２０は、第１の映像回転部１２１、第２の映像回転部１２２を備える。表示部１３０は、第１の表示部１３１、第２の表示部１３２を備える。
【００１９】
処理部１００は、ＣＰＵ（Central Processing Unit）やＧＰＵ（Graphics Processing Unit）であり、Ｗｉｎｄｏｗｓ（登録商標）１０などのオペレーティングシステム、アプリケーションプログラムを実行して、第１の表示部１３１に表示するための第１の映像信号と、第２の表示部１３２に表示するための第２の映像信号を生成する。制御部１１０は、第１筐体１０１及び第２筐体１０３に搭載されるジャイロセンサ（不図示）からの情報に基づいて第１筐体１０１に対する第２筐体１０３の相対位置の関係を割り出す。それによって制御部１１０は電子機器１０の状態を判定し、制御信号ＳＩＮＧＬＥ＿ＭＯＤＥと、制御信号ＲＯＴＡＴＥ＿ＭＯＤＥとを生成する。これらの制御信号は、映像回転部１２０の動作を制御する信号であるが、該動作は、ブック構成、テント構成、フラット構成などの第１筐体１０１と第２筐体１０３との状態に応じたものであり、第１筐体１０１と第２筐体１０３がいずれの状態であるかを示す信号でもある。
【００２０】
制御信号ＳＩＮＧＬＥ＿ＭＯＤＥは、第１の表示部１３１と第２の表示部１３２の両方に映像を表示する２画面表示であるか（Ｌｏｗ）、第１の表示部１３１のみに映像を表示する１画面表示であるか（Ｈｉｇｈ）を示す信号である。制御信号ＲＯＴＡＴＥ＿ＭＯＤＥは、第１の映像信号が表す映像および第２の映像信号が表す映像を回転させる回転モードか（Ｈｉｇｈ）、回転させないスルーモードか（Ｌｏｗ）を示す信号である。
【００２１】
第１の映像回転部１２１は、高精細度マルチメディアインターフェース（High-Definition Multimedia Interface；HDMI（登録商標））ＨＤＭＩ１を用いて、処理部１００と接続されており、処理部１００が生成した第１の映像信号は、高精細度マルチメディアインターフェースＨＤＭＩ１を用いて、第１の映像回転部１２１に入力される。第１の映像回転部１２１は、第１の映像信号が表す映像を左に９０度回転させることがある。具体的には、第１の映像回転部１２１は、制御信号ＲＯＴＡＴＥ＿ＭＯＤＥがＨｉｇｈであり、「回転モード」を示しているときは、第１の映像信号が表す映像を左に９０度回転させた映像信号を生成し、生成した映像信号を、組み込みディスプレイポートｅＤＰ１を介して、出力する。さらに、第１の映像回転部１２１は、制御信号ＲＯＴＡＴＥ＿ＭＯＤＥがＬｏｗであり、「スルーモード」を示しているときは、第１の映像信号を、そのまま組み込みディスプレイポートｅＤＰ１を介して、出力する。
【００２２】
第２の映像回転部１２２は、高精細度マルチメディアインターフェースＨＤＭＩ２を用いて、処理部１００と接続されており、処理部１００が生成した第２の映像信号は、高精細度マルチメディアインターフェースＨＤＭＩ２を用いて、第２の映像回転部１２２に入力される。第２の映像回転部１２２は、第２の映像信号が表す映像を右に９０度回転させることがある。具体的には、第２の映像回転部１２２は、制御信号ＲＯＴＡＴＥ＿ＭＯＤＥがＨｉｇｈであり、「回転モード」を示しているときは、第２の映像信号が表す映像を右に９０度回転させた映像信号を生成し、生成した映像信号を、組み込みディスプレイポートｅＤＰ２を介して、出力する。さらに、第２の映像回転部１２２は、制御信号ＲＯＴＡＴＥ＿ＭＯＤＥがＬｏｗであり、「スルーモード」を示しているときは、第２の映像信号を、そのまま組み込みディスプレイポートｅＤＰ２を介して、出力する。
【００２３】
なお、制御信号ＳＩＮＧＬＥ＿ＭＯＤＥがＬｏｗであり、「２画面表示」を示すときは、第１の映像回転部１２１および第２の映像回転部１２２は、制御信号ＲＯＴＡＴＥ＿ＭＯＤＥに従って動作する。しかし、制御信号ＳＩＮＧＬＥ＿ＭＯＤＥがＨｉｇｈであり、「１画面表示」を示すときは、第１の映像回転部１２１のみが、制御信号ＲＯＴＡＴＥ＿ＭＯＤＥに従って動作し、第２の映像回転部１２２は、映像信号を出力しない。
【００２４】
また、第１の映像回転部１２１および第２の映像回転部１２２は、例えば、Ｎｏｖａｔｅｋ社のＳｃａｌｅｒ  ＣｈｉｐであるＮＴ６８４００を用いてもよい。この場合、２つのＮＴ６８４００を配置し、例えば、第１の映像回転部１２１となる一方には、ＳＣＡＬＥＲ＿ＩＤ１（Ｌｏｗ）を入力させ、第２の映像回転部１２２となるもう一方には、ＳＣＡＬＥＲ＿ＩＤ２（Ｈｉｇｈ）を入力させる。すなわち、ＮＴ６８４００は、ＳＣＡＬＥＲ＿ＩＤ１（Ｌｏｗ）と、ＳＣＡＬＥＲ＿ＩＤ２（Ｈｉｇｈ）のどちらが入力されるかに応じて、制御信号ＲＯＴＡＴＥ＿ＭＯＤＥが「回転させる」を示しているときに、右に９０度回転させるか、左に９０度回転させるかを決めている。
【００２５】
第１の表示部１３１は、例えば、水平走査方向の解像度が３０００、垂直走査方向の解像度が２０００である、液晶ディスプレイ、有機ＥＬ（Electro Luminescence）ディスプレイなどの薄型のディスプレイである。第１の表示部１３１は、第１の映像回転部１２１が、組み込みディスプレイポートｅＤＰ１を介して出力した映像信号に従い、映像を表示する。
【００２６】
第２の表示部１３２は、例えば、水平走査方向の解像度が３０００、垂直走査方向の解像度が２０００である、液晶ディスプレイ、有機ＥＬディスプレイなどの薄型のディスプレイである。第２の表示部１３２は、第２の映像回転部１２２が、組み込みディスプレイポートｅＤＰ２を介して出力した映像信号に従い、映像を表示する。
【００２７】
図３は、制御部１１０の出力信号を説明する表である。図３の表には、制御部１１０の出力信号である、制御信号ＳＩＮＧＬＥ＿ＭＯＤＥと制御信号ＲＯＴＡＴＥ＿ＭＯＤＥの組み合わせに対する、映像回転部１２０の動作モードが記載されている。制御信号ＳＩＮＧＬＥ＿ＭＯＤＥが「Ｌｏｗ」であり、制御信号ＲＯＴＡＴＥ＿ＭＯＤＥが「Ｌｏｗ」であるときは、映像回転部１２０は、２画面表示、スルーモードで動作する。これは、例えば、テント構成や、ブック構成において用いられる。
【００２８】
また、制御信号ＳＩＮＧＬＥ＿ＭＯＤＥが「Ｌｏｗ」であり、制御信号ＲＯＴＡＴＥ＿ＭＯＤＥが「Ｈｉｇｈ」であるときは、映像回転部１２０は、２画面表示、回転モードで動作する。これは、例えば、フラット構成（所定の状態）において用いられる。また、制御信号ＳＩＮＧＬＥ＿ＭＯＤＥが「Ｈｉｇｈ」であり、制御信号ＲＯＴＡＴＥ＿ＭＯＤＥが「Ｌｏｗ」であるときは、映像回転部１２０は、１画面表示、スルーモードで動作する。これは、例えば、テント構成において用いられる。なお、制御信号ＳＩＮＧＬＥ＿ＭＯＤＥが「Ｈｉｇｈ」であり、制御信号ＲＯＴＡＴＥ＿ＭＯＤＥが「Ｈｉｇｈ」である状態は、使用禁止である。
【００２９】
なお、制御部１１０は、テント構成、ブック構成、フラット構成などのうちのいずれの状態であるかを、重力方向と、第１の表示部１３１の表示面と第２の表示部１３２の表示面とが成す角と、ドック２０の接続状態との一部もしくは全てを検出することで判定してもよい。あるいは、制御部１１０は、処理部１００から、いずれの状態であるかを取得してもよい。あるいは、制御部１１０は、処理部１００から、２画面表示と１画面表示とのうちのいずれであるかと、回転モードとスルーモードとのうちのいずれであるかを取得してもよい。あるいは、制御部１１０は、ドック２０との接続状態を検出し、接続されていれば回転モードであり、接続されていなければスルーモードであると判定してもよい。
【００３０】
図４は、本実施形態における映像回転部１２０の動作（スルーモード）を説明する模式図である。図４では、２画面表示のテント構成の状態の場合を例に取り説明する。高精細度マルチメディアインターフェースＨＤＭＩ１を用いて、第１の映像回転部１２１に入力される第１の映像信号は、水平走査方向の解像度が３０００、垂直走査方向の解像度が２０００であり、第１の映像信号が表す映像ＧＴ１１は、水平方向の解像度が３０００、垂直方向の解像度が２０００である。ここで、映像ＧＴ１１などに記載した矢印は、該映像の映像信号の水平走査の向きを示し、映像中の文字の向きは、映像の向きを示す。したがって、映像ＧＴ１１を表す信号である第１の映像信号では、垂直走査方向が、映像の垂直方向であり、水平走査方向が、映像の水平方向である。
【００３１】
２画面表示のテント構成の状態の場合、第１の映像回転部１２１は、第１の映像信号を、そのまま組み込みディスプレイポートｅＤＰ１を介して出力する（ＧＴ１２）。したがって、表示部１３０の第１の表示部１３１には、第１の映像信号が表す映像が、垂直走査方向が映像の垂直方向になり、水平走査方向が映像の水平方向になるように、映像ＧＴ１３として表示される。
【００３２】
高精細度マルチメディアインターフェースＨＤＭＩ２を用いて、第２の映像回転部１２２に入力される第２の映像信号も同様である。すなわち、第２の映像信号は、水平走査方向の解像度が３０００、垂直走査方向の解像度が２０００であり、第２の映像信号が表す映像ＧＴ２１は、水平方向の解像度が３０００、垂直方向の解像度が２０００である。第２の映像信号が表す映像ＧＴ２１は、垂直走査方向が、映像の垂直方向であり、水平走査方向が、映像の水平方向である。
【００３３】
２画面表示のテント構成の状態の場合、第２の映像回転部１２２は、第２の映像信号を、そのまま組み込みディスプレイポートｅＤＰ２を介して出力する（ＧＴ２２）。したがって、表示部１３０の第２の表示部１３２には、第２の映像信号が表す映像が、垂直走査方向が映像の垂直方向になり、水平走査方向が映像の水平方向になるように、映像ＧＴ２３として表示される。なお、図４において、映像ＧＴ１３と、映像ＧＴ２３とは、第１の表示部１３１と第２の表示部１３２との配置を展開して模式的に記載したものであり、ブック構成の状態と同様の向きに記載している。
【００３４】
図４の映像ＧＴ１３と、映像ＧＴ２３との記載から分かるように、第１の表示部１３１の垂直走査方向の上辺側と、第２の表示部１３２の垂直走査方向の上辺側との間に回転軸がくるように、第１の表示部１３１と第２の表示部１３２とは配置されている。すなわち、第１の表示部１３１の水平走査の向きと、第２の表示部１３２の水平走査の向きとが、逆向きになるように、第１の表示部１３１と第２の表示部１３２とは配置されている。
【００３５】
図５は、本実施形態における映像回転部１２０の動作（回転モード）を説明する模式図である。本実施形態において、回転モードを用いるのは、フラット構成の状態の場合である。したがって、以下、フラット構成の場合を説明する。フラット構成の場合、処理部１００は、水平方向の解像度が４０００であり、垂直方向の解像度が３０００である映像を生成し、その左半分の映像を表す第１の映像信号と、右半分の映像を表す第２の映像信号とを出力する。
【００３６】
高精細度マルチメディアインターフェースＨＤＭＩ１を用いて、第１の映像回転部１２１に入力される第１の映像信号は、水平走査方向の解像度が２０００、垂直走査方向の解像度が３０００であり、第１の映像信号が表す映像ＧＲ１１は、水平方向の解像度が２０００、垂直方向の解像度が３０００である。ここで、映像ＧＲ１１などに記載した矢印は、映像ＧＴ１１などと同様に、該映像の映像信号の水平走査の向きを示し、映像中の文字の向きは、映像の向きを示す。すなわち、第１の映像信号が表す映像ＧＲ１１は、垂直走査方向が、映像の垂直方向であり、水平走査方向が、映像の水平方向である。
【００３７】
フラット構成の状態の場合、第１の映像回転部１２１は、第１の映像信号の映像ＧＲ１１が左に９０度回転するように回転させた映像ＧＲ１２の映像信号を生成し、組み込みディスプレイポートｅＤＰ１を介して出力する。すなわち、映像ＧＲ１２の映像信号は、垂直走査方向が映像の水平方向であり、水平走査方向が映像の垂直方向であり、水平走査の向きが映像の下向きである。第１の表示部１３１は、この映像ＧＲ１２の映像信号に従い、映像ＧＲ１３を表示する。
【００３８】
高精細度マルチメディアインターフェースＨＤＭＩ２を用いて、第２の映像回転部１２２に入力される第２の映像信号も同様である。すなわち、第２の映像信号は、水平走査方向の解像度が２０００、垂直走査方向の解像度が３０００であり、第２の映像信号が表す映像ＧＲ２１は、水平方向の解像度が２０００、垂直方向の解像度が３０００である。すなわち、第２の映像信号が表す映像ＧＲ２１は、垂直走査方向が、映像の垂直方向であり、水平走査方向が、映像の水平方向である。
【００３９】
フラット構成の状態の場合、第２の映像回転部１２２は、第２の映像信号の映像ＧＲ２１が右に９０度回転するように回転させた映像ＧＲ２２の映像信号を生成し、組み込みディスプレイポートｅＤＰ２を介して出力する。すなわち、映像ＧＲ２２の映像信号は、垂直走査方向が映像の水平方向であり、水平走査方向が映像の垂直方向であり、水平走査の向きが映像の上向きである。第２の表示部１３２は、この映像ＧＲ２２の映像信号に従い、映像ＧＲ２３を表示する。なお、映像ＧＲ１３と、映像ＧＲ２３とは、第１の表示部１３１と第２の表示部１３２との配置を展開して模式的に記載したものであり、フラット構成の状態と同様の向きに記載している。このように、フラット構成では、並列した第１の表示部１３１と第２の表示部１３２とを合わせて、水平方向の解像度が４０００であり、垂直方向の解像度が３０００である１つの画面として扱うことができる。
【００４０】
図６は、本実施形態における処理部１００と映像回転部１２０との間の信号を説明するタイムチャート（その１）である。図６に示すタイムチャートは、電子機器１０が、ドック２０に接続されるなどして、例えば、ブック構成の状態から、フラット構成の状態に遷移する際のタイムチャートである。制御部１１０は、電子機器１０がドック２０に接続されたことを検出すると、制御信号ＲＯＴＡＴＥ＿ＭＯＤＥを、回転モードを示すＨｉｇｈにする（時刻Ｔ１１）。第１の映像回転部１２１は、制御信号ＲＯＴＡＴＥ＿ＭＯＤＥがＨｉｇｈになったことを検出すると、拡張ディスプレイ識別データ（EDID；Extended Display Identification Data）の変更を示すために、高精細度マルチメディアインターフェースＨＩＭＩ１中のホットプラグデテクト（HPD；Hot Plug Detect）信号ＨＰＤ１を、少なくとも１００ｍｓｅｃ以上の間、Ｌｏｗにする（時刻Ｔ１２から時刻Ｔ１４）。
【００４１】
第２の映像回転部１２２も、制御信号ＲＯＴＡＴＥ＿ＭＯＤＥがＨｉｇｈになったことを検出すると、拡張ディスプレイ識別データの変更を示すために、高精細度マルチメディアインターフェースＨＩＭＩ２中のホットプラグデテクト信号ＨＰＤ２を、少なくとも１００ｍｓｅｃ以上の間、Ｌｏｗにする（時刻Ｔ１２から時刻Ｔ１４）。時刻Ｔ１２から時刻Ｔ１４の間に、映像回転部１２０は、２画面表示、かつ、スルーモードから、２画面表示、かつ、回転モードに遷移する（時刻Ｔ１３）。
【００４２】
ホットプラグデテクト信号ＨＰＤ１の１００ｍｓ以上のＬｏｗの後のＨｉｇｈへの遷移を検出した処理部１００は、高精細度マルチメディアインターフェースＨＩＭＩ１中のディスプレイデータチャネル（DDC；Display Data Channel）ＤＤＣ１を用いて、第１の映像回転部１２１から拡張ディスプレイ識別データを読み出す（時刻Ｔ１５）。このとき、第１の映像回転部１２１は、水平方向の解像度が２０００であり、垂直方向の解像度が３０００であることを示す拡張ディスプレイ識別データを、処理部１００に提供する。
【００４３】
同様に、ホットプラグデテクト信号ＨＰＤ２の１００ｍｓ以上のＬｏｗの後のＨｉｇｈへの遷移を検出した処理部１００は、高精細度マルチメディアインターフェースＨＩＭＩ２中のディスプレイデータチャネルＤＤＣ２を用いて、第２の映像回転部１２２から拡張ディスプレイ識別データを読み出す（時刻Ｔ１５）。このとき、第２の映像回転部１２２は、水平方向の解像度が２０００であり、垂直方向の解像度が３０００であることを示す拡張ディスプレイ識別データを、処理部１００に提供する。
【００４４】
このように、フラット構成の状態に遷移するときは、映像回転部１２０は、第１の映像信号および第２の映像信号の供給元である処理部１００に対し、第１の表示部１３１の解像度を示す情報として、第１の表示部１３１の解像度の水平方向と垂直方向を入れ替えた解像度を提供し、第２の表示部１３２の解像度を示す情報として、第２の表示部１３２の解像度の水平方向と垂直方向を入れ替えた解像度を提供する。
【００４５】
これにより、処理部１００は、画面領域の水平方向の解像度を４０００、垂直方向の解像度を３０００とし、該画面領域の左半分の映像を表す第１の映像信号と、該画面領域の右半分の映像を表す第２の映像信号とを生成することができる。
【００４６】
図７は、本実施形態における処理部１００と映像回転部１２０との間の信号を説明するタイムチャート（その２）である。図７に示すタイムチャートは、電子機器１０が、ドック２０から切り離されるなどして、例えば、フラット構成の状態から、ブック構成の状態に遷移する際のタイムチャートである。制御部１１０は、電子機器１０がドック２０から切り離されたことを検出すると、制御信号ＲＯＴＡＴＥ＿ＭＯＤＥを、スルーモードを示すＬｏｗにする（時刻Ｔ２１）。第１の映像回転部１２１は、制御信号ＲＯＴＡＴＥ＿ＭＯＤＥがＬｏｗになったことを検出すると、拡張ディスプレイ識別データの変更を示すために、高精細度マルチメディアインターフェースＨＩＭＩ１中のホットプラグデテクト信号ＨＰＤ１を、少なくとも１００ｍｓｅｃ以上の間、Ｌｏｗにする（時刻Ｔ２２から時刻Ｔ２４）。
【００４７】
第２の映像回転部１２２も、制御信号ＲＯＴＡＴＥ＿ＭＯＤＥがＬｏｗになったことを検出すると、拡張ディスプレイ識別データの変更を示すために、高精細度マルチメディアインターフェースＨＩＭＩ２中のホットプラグデテクト信号ＨＰＤ２を、少なくとも１００ｍｓｅｃ以上の間、Ｌｏｗにする（時刻Ｔ２２から時刻Ｔ２４）。時刻Ｔ２２から時刻Ｔ２４の間に、映像回転部１２０は、２画面表示、かつ、回転モードから、２画面表示、かつ、スルーモードに遷移する（時刻Ｔ２３）。
【００４８】
ホットプラグデテクト信号ＨＰＤ１の１００ｍｓ以上のＬｏｗの後のＨｉｇｈへの遷移を検出した処理部１００は、高精細度マルチメディアインターフェースＨＩＭＩ１中のディスプレイデータチャネルＤＤＣ１を用いて、第１の映像回転部１２１から拡張ディスプレイ識別データを読み出す（時刻Ｔ２５）。このとき、第１の映像回転部１２１は、水平方向の解像度が３０００であり、垂直方向の解像度が２０００であることを示す拡張ディスプレイ識別データを、処理部１００に提供する。
【００４９】
同様に、ホットプラグデテクト信号ＨＰＤ２の１００ｍｓ以上のＬｏｗの後のＨｉｇｈへの遷移を検出した処理部１００は、高精細度マルチメディアインターフェースＨＩＭＩ２中のディスプレイデータチャネルＤＤＣ２を用いて、第２の映像回転部１２２から拡張ディスプレイ識別データを読み出す（時刻Ｔ２５）。このとき、第２の映像回転部１２２は、水平方向の解像度が３０００であり、垂直方向の解像度が２０００であることを示す拡張ディスプレイ識別データを、処理部１００に提供する。
【００５０】
このように、ブック構成やテント構成の状態に遷移するときは、映像回転部１２０は、第１の映像信号および第２の映像信号の供給元である処理部１００に対し、第１の表示部１３１の解像度を示す情報として、第１の表示部１３１の水平方向の解像度と垂直方向の解像度をそのまま提供し、第２の表示部１３２の解像度を示す情報として、第２の表示部１３２の水平方向の解像度と垂直方向の解像度をそのまま提供する。
【００５１】
なお、本実施形態において、処理部１００は、電子機器１０が備えるとして説明したが、電子機器１０に、高精細度マルチメディアインターフェースＨＤＭＩ１、ＨＤＭＩ２を用いて接続される機器が備えていてもよい。
【００５２】
また、上述した図２における電子機器１０の各機能ブロックは個別にチップ化してもよいし、一部、または全部を集積してチップ化してもよい。また、集積回路化の手法はＬＳＩに限らず、専用回路、または汎用プロセッサで実現しても良い。ハイブリッド、モノリシックのいずれでも良い。一部は、ハードウェアにより、一部はソフトウェアにより機能を実現させても良い。
また、半導体技術の進歩により、ＬＳＩに代替する集積回路化等の技術が出現した場合、当該技術による集積回路を用いることも可能である。
【００５３】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００５４】
１０、１０ａ、１０ｂ、１０ｃ  電子機器
１００  処理部
１０１  第１筐体
１０２  ヒンジ
１０３  第２筐体
１１０  制御部
１２０  映像回転部
１２１  第１の映像回転部
１２２  第２の映像回転部
１３０  表示部
１３１  第１の表示部
１３２  第２の表示部
【図１】
2022001894.tif 000003
【図２】
2022001894.tif 000004
【図３】
2022001894.tif 000005
【図４】
2022001894.tif 000006
【図５】
2022001894.tif 000007
【図６】
2022001894.tif 000008
【図７】
2022001894.tif 000009